(57)【要約】      （修正有）【課題】軸受用取外し工具を提供する。【解決手段】押付具２１と、括りリング２２とを備え、押付具２１が環状に配列されて互いに当接し、前記押付具により、管状の外面と、管状の内面とが形成され、各押付具２１は第１端と、第２端とを有し、第２端には半径方向に突出する押付部を形成する。さらに、前記押付部が外面に沿って環状に配列される押付装置２と；貫通孔を構成する内周面３１と、外周面３２とを備え、外周面３２は大径段３２１と、大径段と連接する小径段３２２と、小径段と大径段の間に位置する階段面３２３とを有する。小径段の直径は内面の直径よりも大きい押付柱３と；凹み台４２と、凹み台の中央に位置するねじ穴４１とが形成される固定部４と；ヘッド部５１と、ヘッド部５１から軸方向に沿って延びる身部５２とを有し、身部５２は螺旋を有し、貫通孔を脱着可能に挿通してねじ穴４１に螺着されるねじ軸５と；を含む。【選択図】図２Ａ
0003174226.tif 000002
【実用新案登録請求の範囲】
【請求項１】
複数の押付具と、括りリングとを備え、これらの前記押付具が環状に配列されて互いに当接し、これらの前記押付具により、管状の外面と、管状の内面とが形成され、前記各押付具は、第１端と、第２端とを有し、前記各第２端には、半径方向に突出する押付部が形成され、これらの前記押付部が前記外面に沿って環状に配列され、前記括りリングは、これらの前記押付具と嵌合し、弾性を有するため、これらの前記押付具が前記外面の中心へ付勢されて互いに当接する傾向がある押付装置と、
貫通孔を構成する内周面と、外周面とを備え、前記外周面は、大径段と、前記大径段と連接する小径段と、前記小径段と前記大径段の間に位置する階段面とを有し、前記小径段の直径は前記内面の直径よりも大きく、前記小径段が前記内面に脱着可能に挿入されて、これらの前記押付具が半径方向に沿って外側へ押付される押付柱と、
凹み台と、前記凹み台の中央に位置するねじ穴とが形成される固定部と、
ヘッド部と、前記ヘッド部から軸方向に沿って延びる身部とを有し、前記身部は、螺旋を有し、前記貫通孔を脱着可能に挿通して前記ねじ穴に螺着されるねじ軸と、を含むことを特徴とする軸受用取外し工具。
【請求項２】
ぞれぞれの前記押付具に溝が形成され、これらの前記溝が環状に配列されて互いに連接し、前記括りリングがこれらの前記溝に収容されることを特徴とする、請求項１に記載の軸受用取外し工具。
【請求項３】
前記押付柱の外周面は更に、案内段を含み、前記小径段は、前記案内段と前記階段面の間に位置され、前記案内段及び前記階段面と連接し、前記案内段の前記小径段から遠ざかった一端が徐々に縮径することを特徴とする、請求項１に記載の軸受用取外し工具。
【請求項４】
それぞれの前記押付具の前記第２端に円錐面が形成されて、前記内面には、これらの前記第２端へ徐々に拡径する開口が形成されることを特徴とする、請求項１に記載の軸受用取外し工具。
【請求項５】
それぞれの前記押付具の前記第２端に円錐面が形成されて、前記内面には、これらの前記第２端へ徐々に拡径する開口が形成されることを特徴とする、請求項２に記載の軸受用取外し工具。
【請求項６】
それぞれの前記押付具の前記第２端に円錐面が形成されて、前記内面には、これらの前記第２端へ徐々に拡径する開口が形成されることを特徴とする、請求項３に記載の軸受用取外し工具。
【請求項７】
前記軸受用取外し工具は更に、貫通孔が形成されるプッシュ柱を含み、前記プッシュ柱は、第１段と、第２段と、を有し、前記第１段の外径は前記第２段の外径よりも小さく、前記第１段と前記第２段の間にプッシュ面が形成され、前記プッシュ柱が前記ねじ軸に嵌め設けられて、前記第２段が前記第１段と前記ねじ軸の前記ヘッド部の間に位置されることを特徴とする、請求項１乃至６の何れか１項に記載の軸受用取外し工具。
【請求項８】
それぞれの前記押付部は、円弧形を呈する突起であることを特徴とする、請求項１乃至６の何れか１項に記載の軸受用取外し工具。
【考案の詳細な説明】
【技術分野】
【０００１】
本考案は、軸受用取外し工具に関するものである。
【背景技術】
【０００２】
従来の軸受用取外し工具は、例えば特許文献１、特許文献２、又は特許文献３に記載のように、外側へ拡径できる装置を軸受に押付けて、前記軸受を引いて取り外すものである。外側へ拡径できる装置は、複数の剖開溝が設けられるスリーブであるものが多い。前記スリーブの自身の弾性により、前記スリーブが軸受に押付け、或いは前記スリーブの内部から他のロッドを前記スリーブに押付けて、前記スリーブが外側へ拡径して軸受に押付ける。
【０００３】
しかし、上記の軸受用取外し工具は携帯性が良くないため、便利に利用できない。軸受用取外し工具がスリーブの弾性によって軸受に押付ける場合には、軸受用取外し工具を利用したいときに、ユーザが前記スリーブを内側へ縮径しないと、軸受に前記スリーブを挿入できない。軸受用取外し工具が他のロッドによって軸受に押付ける場合には、部品の点数が多く、そして、操作がより複雑になるという問題があった。
【０００４】
一方、上記の軸受用取外し工具は、引き方式により軸受を取り外すため、引きスリーブ、支持枠、又は三脚を別に用意することが必要であり、携帯性が更に良くない。特に、自転車の五方チューブに設けられる軸受を取り外したいときには、別の工具によって、軸受が組み付けられる五方碗状組を取り外した後、五方碗状組から軸受を取り外すことが必要であるため、使用が極めて不便である。
【先行技術文献】
【特許文献】
【０００５】
【特許文献１】台湾特許第２１６１７０号公報
【特許文献２】台湾特許第５０６４９５号公報
【特許文献３】台湾特許第Ｍ２７９７７１号公報
【考案の概要】
【考案が解決しようとする課題】
【０００６】
本考案の主な目的は、操作が便利になる軸受用取外し工具を提供することにある。
【課題を解決するための手段】
【０００７】
本考案の軸受用取外し工具によると、複数の押付具と、括りリングと、を備え、これらの押付具が環状に配列されて互いに当接し、これらの押付具により、管状の外面と、管状の内面と、が形成され、各押付具は、第１端と、第２端と、を有し、各第２端には、半径方向に突出する押付部が形成され、これらの押付部が外面に沿って環状に配列され、括りリングは、これらの押付具と嵌合し、弾性を有するため、これらの押付具が外面の中心へ付勢されて互いに当接する傾向がある押付装置と、貫通孔を構成する内周面と、外周面と、を備え、外周面は、大径段と、大径段と連接する小径段と、小径段と大径段の間に位置する階段面と、を有し、小径段の直径は内面の直径よりも大きく、小径段が内面に脱着可能に挿入されて、これらの押付具が半径方向に沿って外側へ押付される押付柱と、凹み台と、凹み台の中央に位置するねじ穴と、が形成される固定部と、ヘッド部と、ヘッド部から軸方向に沿って延びる身部と、を有し、身部は、螺旋を有し、貫通孔を脱着可能に挿通してねじ穴に螺着されるねじ軸と、を含むことを特徴とする。
【０００８】
本考案の軸受用取外し工具によると、各押付具に溝が形成され、これらの溝が環状に配列されて互いに連接し、括りリングがこれらの溝に収容されることを特徴とする。
【０００９】
本考案の軸受用取外し工具によると、押付柱の外周面は、更に、案内段を含み、小径段は、案内段と階段面の間に位置し、案内段及び階段面と連接し、案内段の小径段から遠ざかった一端が徐々に縮径することを特徴とする。
【００１０】
本考案の軸受用取外し工具によると、各押付具の第２端に円錐面が形成されて、内面には、これらの第２端へ徐々に拡径する開口が形成されることを特徴とする。
【００１１】
本考案の軸受用取外し工具によると、各押付具の第２端に円錐面が形成されて、内面には、これらの第２端へ徐々に拡径する開口が形成されることを特徴とする。
【００１２】
本考案の軸受用取外し工具によると、各押付具の第２端に円錐面が形成されて、内面には、これらの第２端へ徐々に拡径する開口が形成されることを特徴とする。
【００１３】
本考案の軸受用取外し工具によると、更に、貫通孔が形成されるプッシュ柱を含み、プッシュ柱は、第１段と、第２段と、を有し、第１段の外径は第２段の外径よりも小さく、第１段と第２段の間にプッシュ面が形成され、プッシュ柱がねじ軸に嵌め設けられて、第２段が第１段とねじ軸のヘッド部の間に位置することを特徴とする。
【００１４】
本考案の軸受用取外し工具によると、各押付部は、円弧形を呈する突起であることを特徴とする。
【考案の効果】
【００１５】
本考案の軸受用取外し工具によれば、操作が便利となる効果を有する。
【図面の簡単な説明】
【００１６】
【図１】本考案の一実施例を適用できる五方チューブ及び軸受を示す断面図である。
【図２Ａ】本考案の一実施例を示す分解斜視図である。
【図２Ｂ】本考案の押付具を別の視点から見た斜視図である。
【図３】本考案の一実施例の組付けを示す模式図（一）である。
【図４】本考案の一実施例の組付けを示す模式図（二）である。
【図５】本考案の一実施例の組付けを示す模式図（三）である。
【図６】本考案のプッシュ柱を組付けている状態を示す断面図である。
【図７】本考案の一実施例の使用状態を示す模式図である。
【図８】本考案の一実施例にて軸受を組付けている状態を示す模式図（一）である。
【図９】本考案の一実施例にて軸受を組付けている状態を示す模式図（二）である。
【考案を実施するための形態】
【００１７】
以下、本考案の実施の形態を図面に基づいて説明する。
【００１８】
まず、図１、図２Ａ及び図２Ｂを参照する。本考案の軸受用取外し工具は、図１に示した自転車の五方チューブ１に組み付けられる軸受１１を取り外すためのものである。本考案の軸受用取外し工具は、押付装置２と、押付柱３と、固定部４と、ねじ軸５と、を含み、更に、プッシュ柱を含む。
【００１９】
押付装置２は、二個以上の押付具２１と、括りリング２２と、を備える。本実施例の押付具２１は、二個あり、半円形を呈する断面形状を有するチューブであることが好ましい。押付具２１、２１は、環状に配列されて管状を呈し、互いに当接し、これにより、管状の外面と、管状の内面と、を有する。各押付具２１は、第１端２１１と、第２端２１２と、を有する。各第２端２１２には、半径方向に突出する押付部２１３が形成され、これらの押付部２１３が前記外面に沿って環状に配列される。各押付部２１３は、円弧形を呈する突起であり、第２端２１２に円錐面２１４が形成され、これにより、前記内面には、これらの第２端２１２へ徐々に拡径する開口が形成されることが好ましい。各押付具２１には、円弧形を呈する溝２１５が形成される。これにより、これらの溝２１５は環状に配列されて互いに連接する。括りリング２２は、これらの押付具２１と嵌合し、弾性を有するため、これらの押付具２１が前記外面の中心へ付勢されて互いに当接する傾向がある。括りリング２２は、これらの溝２１５に収容されるため、これらの押付具２１から容易に分離できないことが好ましい。
【００２０】
押付柱３は、貫通孔を構成する内周面３１と、外周面３２と、を備える。外周面３２は、大径段３２１と、小径段３２２と、階段面３２３と、を有する。外周面３２には、更に、案内段３２４を有し、小径段３２２は、案内段３２４と大径段３２１の間に位置し、案内段３２４及び大径段３２１と連接し、小径段３２２の直径がこれらの押付具２１から構成される内面の直径よりも大きく、階段面３２３は、大径段３２１と小径段３２２の間に位置し、案内段３２４の小径段３２２から遠ざかった一端が徐々に縮径することが好ましい。
【００２１】
固定部４には、凹み台４２と、凹み台４２の中央に位置するねじ穴４１と、が形成される。本実施例では、固定部４が単一のブロックで形成されるが、もちろん、固定部４は、穿孔が設けられるブロックと、ナットと、を含んでもよい。
【００２２】
ねじ軸５は、ヘッド部５１と、ヘッド部５１から軸方向に沿って延びる身部５２と、を有する。身部５２は、螺旋を有し、前記貫通孔を脱着可能に挿通してねじ穴４１に螺着される。
【００２３】
プッシュ柱６に貫通孔６１が形成される。プッシュ柱６は、第１段６２と、第２段６３と、を有する。第１段６２の外径は第２段６３の外径よりも小さい。第１段６２と第２段６３の間にプッシュ面６４が形成される。プッシュ柱６がねじ軸５に嵌め設けられて、第２段６３が第１段６２とねじ軸５のヘッド部５１の間に位置する。
【００２４】
上記の構成によれば、軸受を取り外すことができる。図３乃至図５を参照する。図３に示すように、自転車の五方チューブ１に押付装置２を入れて、五方チューブ１に組み付けられる軸受１１に各押付具２１の第１端２１１を挿入した後、五方チューブ１の他側から押付柱３を挿入する。これにより、これらの押付具２１で形成される内面に、小径段３２２を脱着可能に挿入できる。小径段３２２の直径が前記内面の直径よりも大きいため、図４に示すように、小径段３２２により、これらの押付具２１が半径方向に沿って外側へ押付けられて、これらの押付部２１３が軸受１１の一側に押付ける。この後、五方チューブ１の外面に固定部４を押付けて、五方チューブ１の他側から、ねじ軸５を押付柱２１３の貫通孔に挿通して固定部４のねじ穴４１に螺入する。このように、図５に示す使用態様となる。図６に示すように、ねじ軸５のヘッド部５１と押付柱３の間にプッシュ柱６を挟んでもよい。最後に、ねじ軸５をねじ込むと、ねじ軸５により押付柱３をプッシュすることができ、そして押付柱３の階段面３２３によって押付装置２をプッシュして、押付装置２の押付部２１３により軸受１１が外側へ押付けられる。このように、図７に示すように、軸受１１が外側に移動して固定部４の凹み台４２に達する。そうすると、軸受１１の取外し作業が完了した。
【００２５】
図８及び図９を参照する。本考案の軸受用取外し工具によれば、軸受を取り外すことができる他、軸受を組付けることもできる。プッシュ柱６の第１段６２に軸受１１を嵌めて、プッシュ柱６と五方チューブ１にねじ軸５を挿入した後、固定部４のねじ穴にねじ軸５をねじ込んで、五方チューブ１に固定部４を押付けて、ねじ軸５をねじ込むと、ねじ軸５のヘッド部５１によりプッシュ柱６がプッシュされ、そしてプッシュ柱６のプッシュ面６４により、軸受１１が五方チューブ１に押し入れる。このように、軸受の組付け作業が完了した。
【００２６】
本考案の軸受用取外し工具によれば、押付装置２が押付柱３に押付けられて、半径方向に沿って外側に拡径して軸受１１に押付ける。実際の使用方法は、まず、軸受１１に押付装置２を単独に入れて、押付柱３、固定部４及びねじ軸５を順次に組付けるため、便利に使用できる。また、本考案は、ねじ軸のねじ込みにより軸受を取り外すことができるため、軸受を引出すための支持枠を別に用意する必要がない。これにより、本考案の軸受用取外し工具は、構成が簡潔であり、携帯性が良い。一方、本考案の軸受用取外し工具によれば、軸受を取り外すことができる他、軸受を組付けることもできるため、利用が極めて便利である。
【００２７】
このように、本考案が、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００２８】
本考案は、軸受を取り外すための取外し工具に適用することができる。
【符号の説明】
【００２９】
１：五方チューブ、２：押付装置、３：押付柱、４：固定部、５：ねじ軸、６：プッシュ柱、１１：軸受、２１：押付具、２２：括りリング、３１：内周面、３２：外周面、４１：ねじ穴、４２：凹み台、５１：ヘッド部、５２：身部、６１：貫通孔、６２：第１段、６３：第２段、６４：プッシュ面、２１１：第１端、２１２：第２端、２１３：押付部、２１４：円錐面、２１５：溝、３２１：大径段、３２２：小径段、３２３：階段面、３２４：案内段。
【図１】
0003174226.tif 000003
【図２Ａ】
0003174226.tif 000004
【図２Ｂ】
0003174226.tif 000005
【図３】
0003174226.tif 000006
【図４】
0003174226.tif 000007
【図５】
0003174226.tif 000008
【図６】
0003174226.tif 000009
【図７】
0003174226.tif 000010
【図８】
0003174226.tif 000011
【図９】
0003174226.tif 000012